(57)【要約】【課題】軒樋を所定の位置関係に配置できない場合であっても、軒先から流下する雨水を軒樋内に流下させる構造とすることができる上に、軒樋を軒先先端に対する所定の位置関係に配置できる場合には従来通りの構造とすることが可能な樋吊り具および軒先構造を提供する。【解決手段】本発明の樋吊り具３は、軒樋２を支持する吊り具本体３１と、この吊り具本体３１に取り付けられた導水板支持具５とを備える。導水板支持具５は、屋根１上を流下した水を前記軒樋２内に導く導水板７が取り付けられる。導水板支持具５は、前記吊り具本体３１に対して着脱可能となっている。【選択図】図１
2015148060.tif 000002
【特許請求の範囲】
【請求項１】
鼻隠に固定されて軒樋を支持する吊り具本体と、
この吊り具本体に取り付けられ、屋根上を流下した水を前記軒樋内に導く導水板が取り付けられる導水板支持具と
を備え、
前記導水板支持具は、前記吊り具本体に対して着脱可能となっている
ことを特徴とする樋吊り具。
【請求項２】
軒樋と、
鼻隠に固定されて前記軒樋を支持する樋吊り具と、
前記軒樋の上方に配置された軒先を有する屋根と
を備えた軒先構造であって、
前記樋吊り具に取り付けられて前記軒樋の上方に配置され、これにより前記屋根上を流下した水を前記軒樋内に導く導水板
をさらに備えており、
前記樋吊り具は、
前記軒樋を支持する吊り具本体と、
この吊り具本体に取り付けられ前記導水板を支持する導水板支持具と
を有しており、
前記導水板支持具は、前記吊り具本体から取り外し可能となっている
ことを特徴とする軒先構造。
【発明の詳細な説明】
【技術分野】
【０００１】
本発明は、樋吊り具および軒先構造に関する。
【背景技術】
【０００２】
特許文献１には、従来の樋吊り具が記載されている。この特許文献１記載の軒樋吊り具は、鼻板に固定されて、軒樋を支持するものである。この軒樋吊り具は、軒樋を、屋根の軒先に対して所定の位置関係となるように位置させて支持する。これにより、軒樋は、軒先から流下する雨水の大部分を受けることができる。
【先行技術文献】
【特許文献】
【０００３】
【特許文献１】特開２００８−１８４７４９号公報
【発明の概要】
【発明が解決しようとする課題】
【０００４】
ところでこの従来の軒樋は、上方に開口しており、軒先に対する位置関係が所定の位置関係にある場合には、軒先から流下する雨水の大部分を受けることができる。
【０００５】
しかしながら、一般に、軒先の先端に対する鼻板の位置関係等は現場によって異なる。このため、従来の軒樋吊り具では、軒樋を、軒先の先端に対して所定の位置関係に配置することができない場合がある（軒樋吊り具が軒樋の前後位置を調整できる構造であっても、軒樋を所定位置に配置できない場合がある）。この場合、軒樋は、軒先から流下する雨水を効果的に受けることができないという問題がある。
【０００６】
本発明は、上記事情に鑑みてなされたものであり、その目的とするところは、軒樋を軒先先端に対して所定の位置関係に配置できない場合であっても、軒先から流下する雨水を軒樋内に流下させる構造とすることができる上に、軒樋を軒先先端に対して所定の位置関係に配置できる場合には従来通りの構造とすることが可能な樋吊り具および軒先構造を提供することにある。
【課題を解決するための手段】
【０００７】
本発明の樋吊り具は、鼻隠に固定されて軒樋を支持する吊り具本体と、この吊り具本体に取り付けられ、屋根上を流下した水を前記軒樋内に導く導水板が取り付けられる導水板支持具とを備え、前記導水板支持具は、前記吊り具本体に対して着脱可能となっていることを特徴とする。
【０００８】
また、本発明の軒先構造は、軒樋と、鼻隠に固定されて前記軒樋を支持する樋吊り具と、前記軒樋の上方に配置された軒先を有する屋根とを備えた軒先構造であって、前記樋吊り具に取り付けられて前記軒樋の上方に配置され、これにより前記屋根上を流下した水を前記軒樋内に導く導水板をさらに備えており、前記樋吊り具は、前記軒樋を支持する吊り具本体と、この吊り具本体に取り付けられ前記導水板を支持する導水板支持具とを有しており、前記導水板支持具は、前記吊り具本体から取り外し可能となっていることを特徴とする。
【発明の効果】
【０００９】
本発明の樋吊り具および軒先構造によれば、軒樋を軒先先端に対して所定の位置関係に配置できない場合であっても、導水板を取り付けることで、軒先から流下する雨水を軒樋内に効果的に流下させることができ、また、軒樋を軒先先端に対して所定の位置関係に配置できる場合には、導水板支持具を取り外すことで、従来通りの構造とすることができる。
【図面の簡単な説明】
【００１０】
【図１】（ａ）は本実施形態の軒先構造の断面図であり、（ｂ）は導水板が不要な位置関係で形成された軒先において、樋吊り具が取り付けられた状態の断面図である。
【図２】（ａ）は本実施形態の吊り具本体の斜視図であり、（ｂ）は図２（ａ）におけるＡ−Ａ線断面図である。
【図３】本実施形態の樋吊り具の斜視図である。
【図４】本実施形態の導水板支持具の側面図である。
【図５】本実施形態の導水板支持具の斜視図である。
【図６】本実施形態の樋吊り具の軒方向に沿った面における断面図である。
【図７】本実施形態の樋吊り具の斜視図である。
【図８】本実施形態の軒先構造を示す断面図である。
【発明を実施するための形態】
【００１１】
以下、本発明の実施形態について添付図面に基づいて説明する。
【００１２】
本実施形態の軒先構造は、図１（ａ），図１（ｂ）に示すように、鼻隠１５に固定された樋吊り具３と、この樋吊り具３に支持された軒樋２と、軒先１１を有する屋根１とを備えている。なお、図１（ａ）と図１（ｂ）とに示す軒先１１は、それぞれ別の建物の軒先１１であり、軒先１１の先端と鼻隠１５との位置関係が異なるものである。
【００１３】
屋根１は、建物の上部を構成する構造物であり、棟から軒に向かって下り傾斜している（以下、この屋根１の勾配を屋根勾配といい、屋根勾配に沿った方向を屋根勾配方向という）。屋根１は、軒側の端部に軒先１１を有している。軒先１１は、屋根１において建物の外壁面（図示せず）から突出した部分をいう。屋根１は、屋根下地１２と、屋根材１６とを備えている。
【００１４】
屋根下地１２は、屋根材１６の下地になるものである。屋根下地１２の上面は勾配を有している。屋根下地１２は、例えば、野地板１３と垂木１４と鼻隠１５とを備えている。垂木１４は、屋根勾配方向に長さを有している。垂木１４は、屋根勾配方向に直角な水平方向（以下、軒方向という）に一定の間隔を置いて複数設けられている。野地板１３は、垂木１４の上面に載せられて取り付けられる。垂木１４の軒側の端部には、鼻隠１５が取り付けられる。
【００１５】
鼻隠１５は、屋根１から下方に向かって突出した横板である。本実施形態の鼻隠１５は、屋根面（屋根１の上面）に直交しており、下方に向かうほど建物側（屋内側）に向かうように傾斜している。鼻隠１５は、軒先１１の先端（つまり、屋根材１６の先端）からやや棟側に位置する箇所に設けられている。鼻隠１５は、軒方向に長さを有し、屋根面とは直角な方向に幅を有している。
【００１６】
屋根材１６は、屋根下地１２の上面に取り付けられており、これにより、屋根勾配を形成する（この屋根材１６の上面が屋根面となっている）。屋根材１６は、例えば、粘土瓦、金属瓦などの瓦や、折板屋根等の金属屋根や、スレート屋根などが挙げられるが、特に限定されるものではない。
【００１７】
軒樋２は、樋吊り具３に取り付けられ、これにより、軒先に取り付けられる。軒樋２は、上方に開口して断面Ｕ字状をした角樋によって構成されている。軒樋２は、例えば、ガルバリウム鋼板（登録商標）などの鋼板や、合成樹脂などにより構成される。なお、軒樋２は、鋼板や合成樹脂に限らず、合成樹脂に金属板をインサート成形したものであってもよい。また、軒樋２は、角樋に限らず丸樋であってもよい。
【００１８】
軒樋２は、軒方向に長さを有している。また、軒樋２は、後壁２１と、この後壁２１の下端から前方に向かって延出した底壁２３と、底壁２３の前端から上方に向かって延出した前壁２４とを備えている。前壁２４は、上方に向かうほど前方に位置するように傾斜している。また底壁２３は、後壁２１に直交しており、傾斜した鼻隠１５に取り付けられると、前方に向かうほど下方に位置するように傾斜する。後壁２１と底壁２３と前壁２４とは、一体に成形されている。
【００１９】
後壁２１の上端には、後耳部２２が設けられている。また、前壁２４の上端には、前耳部２５が設けられている。前耳部２５および後耳部２２は、樋吊り具３に保持される。前耳部２５は、前壁２４の上端が略三角形状に折り曲げられて形成されている。後耳部２２は、後壁２１の上端が前方に折り曲げられ、さらにその先端が下方に折り曲げられており、つまり、後壁２１の上端が折り返されて形成されている。
【００２０】
このような構成の軒樋２は、樋吊り具３に取り付けられる。樋吊り具３は、鼻隠１５の前面に固定されて用いられる。樋吊り具３は、軒樋２を上方から吊り下げ、これにより、軒樋２を支持するものである。樋吊り具３は、吊り具本体３１と、導水板支持具５とを備えている。
【００２１】
吊り具本体３１は、鼻隠１５の前面に固定され、これにより鼻隠１５を支持する。吊り具本体３１は、図２（ａ）に示すように、固定部３２と、吊部３４とを備えている。
【００２２】
固定部３２は、鼻隠１５の前面に固定される。固定部３２は、正面視矩形状をしている。固定部３２には、固着具挿通孔３３が複数箇所に設けられている。固定部３２は、固着具挿通孔３３に固着具を通した上で、当該固着具を鼻隠１５に打ち込むことで、鼻隠１５に固定される。
【００２３】
吊部３４は、固定部３２から前方に向かって突出している。吊部３４は、前後方向に長さを有し、左右方向に幅を有している。吊部３４の長さ方向は、固定部３２の前面に直交している。吊部３４の固定部３２側の端部（つまり、吊部３４の基部）には、樋内支持部３５が設けられている。
【００２４】
樋内支持部３５は、吊部３４の基部から下方に向かって突出している。樋内支持部３５の突出先端は、軒樋２の後壁２１の内面に当たるように構成されている（この軒樋２の内面に当接する箇所を当接部３６という）。
【００２５】
また、吊部３４には、軒樋２を吊り下げて保持するための保持部３７が設けられている。保持部３７は、軒樋２の前壁２４上端と後壁２１上端とを保持する。本実施形態の樋吊り具３は、保持部３７として、前保持部３８と、後保持部４０とを備えている。
【００２６】
前保持部３８は、吊部３４の長さ方向の前側の端部（すなわち、吊部３４の先端）に設けられている。前保持部３８は、軒樋２の前壁２４上端に設けられた前耳部２５を保持する。前保持部３８は、吊部３４の先端から上方に向かって突出した係止爪３９によって構成されている。
【００２７】
後保持部４０は、吊部３４の基部に設けられており、より詳細には、樋内支持部３５の上端部に設けられている。後保持部４０は、軒樋２の後壁２１上端に設けられた後耳部２２を保持する。後保持部４０は、後耳部２２が載置される載置面４１と、載置面４１の後端から上方に突出した突起４２とを備えている。
【００２８】
また、吊り具本体３１は、導水板支持具５を取り付けるための連結部４３を有している。この連結部４３は、吊り具本体３１の吊部３４に設けられている。連結部４３には、導水板支持具５が着脱自在に取り付けられる。連結部４３は、吊部３４の上面から突出した凸部４４と、吊部３４の側面に設けられた凹部４７とを備えている。
【００２９】
凸部４４は、吊部３４の幅方向の半部に設けられている。凸部４４は、前後方向（吊部３４の長さ方向）に一定の間隔をおいて複数箇所に設けられている（本実施形態では２箇所に設けられている）。凸部４４は、吊部３４の長さ方向に沿った断面において、矩形状をしている。また、凸部４４は、図２（ｂ）に示すように、吊部３４の幅方向に沿った断面において、吊部３４の幅方向の中央側の端面４５が鉛直面となり、その反対側の端面４６が、上方に向かうほど幅方向の中央側に位置する傾斜面となっている。
【００３０】
凹部４７は、吊部３４の側面に設けられている。凹部４７は、吊部３４の長さ方向に一様な断面形状をしており、すなわち、吊部３４の長さ方向に長い溝によって構成される。凹部４７は、凸部４４の下方に設けられており、平面視において、凸部４４に重なる位置に形成されている。
【００３１】
この連結部４３には、図３に示すように、導水板支持具５が取り付けられる。導水板支持具５は、導水板７を取り付けるためのものであり、軒樋２上に導水板７を支持する。導水板支持具５は、吊り具本体３１に対して取り外し可能となっており、すなわち、吊り具本体３１に対して着脱可能となっている。
【００３２】
導水板支持具５は、図４に示すように、本体部５６と、導水板７が取り付けられる取付部５１と、吊り具本体３１の連結部４３に連結される被連結部５５とを備えている。取付部５１は、本体部５６の上端部に設けられている。被連結部５５は、本体部５６の下端部に設けられている。この導水板支持具５は、例えば、射出成型等の樹脂成型により一体成形される。
【００３３】
取付部５１は、導水板７の下端部が取り付けられる下固定片５２と、導水板７の上端部が取り付けられる上固定片５３と、導水板７の中間部を支持する支持片５４とを備えている。上固定片５３は、建物側に向かって突出している。また、支持片５４は、上固定片５３とは反対側に向かって突出している。下固定片５２は、支持片５４の下方に設けられている。
【００３４】
被連結部５５は、吊部３４の連結部４３に取り外しできるように連結される。被連結部５５は、図５に示すように、第一被連結部５７と、この第一被連結部５７よりも上方に設けられた第二被連結部５８とを備えている。
【００３５】
第一被連結部５７は、凹部４７内に挿入される挿入突起５９と、凸部４４が嵌め込まれる孔部６０とを備えている。挿入突起５９は、本体部５６から吊部３４の幅方向に平行に突出している。挿入突起５９は、吊部３４の長さ方向に一定の幅を有している。
【００３６】
孔部６０は、本体部５６において挿入突起５９の直上に設けられている。孔部６０は、吊部３４の凸部４４が嵌め込まれると、図６に示すように、開口周縁のうち吊部３４の幅方向の中央側の縁部（この縁部を引掛縁部６１という）が、凸部４４の鉛直面４５に引っ掛かるように構成されている。
【００３７】
第二被連結部５８は、図５に示すように、平面視において、第一被連結部５７とは、軒方向にずれた位置に形成されている。また、第二被連結部５８は、第一被連結部５７の上方に形成されている。第二被連結部５８は、第一被連結部５７と同様、挿入突起５９と、孔部６０とを備えている。なお、この挿入突起５９と孔部６０とは、第一被連結部５７のものと同じ構造であるため、説明を省略する。
【００３８】
導水板支持具５は、次のようにして吊り具本体３１に連結される。以下、図７を参照し、第一被連結部５７を連結部４３に取り付ける場合につき説明する。
【００３９】
施工者は、導水板支持具５の孔部６０を吊り具本体３１の凸部４４に嵌め込み、この状態で、挿入突起５９を吊り具本体３１の凹部４７に挿入する。すると、導水板支持具５の孔部６０が凸部４４に引っ掛かり、且つ挿入突起５９と凹部４７とが引っ掛かる。
【００４０】
本実施形態の連結部４３及び被連結部５５によれば、導水板支持具５の取付部５１に左右方向の外力が掛かっても、その力を効果的に受けることができる。また、挿入突起５９は、吊部３４の長さ方向に一定以上の幅を有しているため、導水板支持具５の取付部５１に前後方向の外力が掛かっても、その力を効果的に受けることができる。この結果、導水板７に外力が掛かった場合にも、連結部４３と被連結部５５とが外れてしまうのを防ぐことができる。
【００４１】
また、この導水板支持具５は、図３に示すように、第二被連結部５８を介して、連結部４３に取り付けることもできる。第二被連結部５８は第一被連結部５７よりも上方に設けられているため、導水板支持具５が第二被連結部５８を介して吊り具本体３１に取り付けられると、導水板支持具５の取付部５１の高さ位置が、第一被連結部５７を介した場合に比べて低くなる。すなわち、本実施形態の樋吊り具３は、導水板支持具５の高さ位置を段階的に変更できるように構成されている。
【００４２】
さらに、吊り具本体３１の凸部４４は、前後方向の複数箇所に設けられている。このため、導水板支持具５は、前後方向に位置調整を行うことができるよう構成されている。
【００４３】
このような構成の導水板支持具５には、図８に示すように、導水板７が取り付けられる。導水板７は、屋根１上を流下した水を受け、その後、軒樋２内に導く。導水板７は、導水板支持具５の上固定片５３に固定される上接続部７１と、下固定片５２に固定される下接続部７２とを備えている。導水板７の表面は、上接続部７１から下接続部７２にかけて、滑らかに湾曲している。導水板７の下端部は、軒樋２の開口上方に位置している。
【００４４】
導水板７は、軒方向に長さを有している。導水板７は、軒方向に並ぶようにして取り付けられた樋吊り具３に架けられるようにして取り付けられる。導水板７の長さは、軒樋２の長さと略同じ大きさに形成されている。
【００４５】
軒樋２が取り付けられた樋吊り具３に導水板７が取り付けられると、導水板７は、屋根１の軒先１１の先端の下方に配置される。言い換えると、導水板７は、平面視において、屋根１の軒先１１の先端と重なっている。この状態で雨が降ると、図１（ａ）に示すように、屋根１上を伝って流下した雨水は、図中の破線で示すように、導水板７に着水し、導水板７の表面を伝って下端部に流下し、その後、軒樋２内に流下する。
【００４６】
ここで、一般に、軒樋２は、屋根１の軒先１１の先端に対して一定の位置関係となるように取り付けられるため、導水板７が設けられていなくても、屋根１から流下する雨水の大部分を受けることができる（図１（ｂ）参照）。しなしながら、鼻隠１５と軒先１１の先端との位置関係は、建物ごとに異なるため、軒樋２を、屋根１の軒先１１の先端に対して一定の位置関係となるように配置できない場合がある。
【００４７】
この点について、本実施形態の樋吊り具３によれば、導水板７が取り付け可能であるため、仮に軒樋２を軒先１１の先端に対して所定の位置関係に配置できなくても、屋根１から流下する雨水を効果的に軒樋２内に導くことができる。
【００４８】
しかも、本実施形態の樋吊り具３は、導水板支持具５を取り外すことができるため、軒樋２を屋根１の軒先１１の先端に対して一定の位置関係に配置できる場合には、導水板７と導水板支持具５とを取り外すこともできる。
【００４９】
以上、説明したように本実施形態の樋吊り具３は、鼻隠１５に固定されて軒樋２を支持する吊り具本体３１と、この吊り具本体３１に取り付けられた導水板支持具５とを備えている。導水板支持具５は、屋根１上を流下した水を軒樋２内に導く導水板７が取り付けられる。そして、導水板支持具５は、吊り具本体３１に対して着脱可能となっている。
【００５０】
このため、本実施形態の樋吊り具３によれば、軒樋２を軒先１１の先端に対して所定の位置関係に配置できない場合であっても、導水板７を取り付けることで、軒先１１から流下する雨水を軒樋２内に流下させることができる。また、軒樋２を軒先１１の先端に対する所定の位置関係に配置できる場合には、導水板支持具５を取り外すことで、従来通りの構造とすることができ、簡略化した構造とすることができる。
【００５１】
また、本実施形態の軒先構造は、軒樋２と、鼻隠１５に固定されて軒樋２を支持する樋吊り具３と、屋根１とを備えている。屋根１は、軒樋２の上方に配置された軒先１１を有している。軒先構造は、屋根１上を流下した水を軒樋２内に導く導水板７をさらに備えている。導水板７は、樋吊り具３に取り付けられており、軒樋２の上方に配置される。樋吊り具３は、軒樋２を支持する吊り具本体３１と、この吊り具本体３１に取り付けられ導水板７を支持する導水板支持具５とを有している。導水板支持具５は、吊り具本体３１から取り外し可能となっている。
【００５２】
このため、本実施形態の軒先構造によれば、軒樋２を軒先１１の先端に対して所定の位置関係に配置できない場合であっても、導水板７を取り付けることで、軒先１１から流下する雨水を軒樋２内に効果的に流下させることができる。また、軒樋２を軒先１１の先端に対して所定の位置関係に配置できる場合には、導水板支持具５と導水板７とを取り外すことで、従来通りの構造とすることができ、簡略化した構造とすることができる。
【００５３】
しかも、本実施形態の樋吊り具３は、導水板支持具５の取付部５１が吊り具本体３１に対して、上下方向と前後方向とに位置変更できるように構成されているため、導水板７の位置を変更することができる。これにより、施工者は、施工現場において、軒先１１の先端の位置に応じて、導水板７の位置を調整することができる。
【００５４】
なお、本実施形態の鼻隠は、下方に向かうほど建物側に位置するように傾斜していたが、本発明の鼻隠は、鉛直となっていてもよく、この点限定されるものではない。
【符号の説明】
【００５５】
１        屋根
１１      軒先
１２      屋根下地
１５      鼻隠
２        軒樋
３        樋吊り具
３１      吊り具本体
３２      固定部
３４      吊部
４３      連結部
４４      凸部
４７      凹部
５        導水板支持具
５１      取付部
５２      下固定片
５３      上固定片
５４      支持片
５５      被連結部
５６      本体部
５７      第一被連結部
５８      第二被連結部
５９      挿入突起
６０      孔部
６１      引掛縁部
７        導水板
７１      上接続部
７２      下接続部
【図１】
2015148060.tif 000003
【図２】
2015148060.tif 000004
【図３】
2015148060.tif 000005
【図４】
2015148060.tif 000006
【図５】
2015148060.tif 000007
【図６】
2015148060.tif 000008
【図７】
2015148060.tif 000009
【図８】
2015148060.tif 000010